(57)【要約】      （修正有）【課題】本発明は、美容処置設備に関するものであり、特に、処置台と、処置器具と、付属物とを備えた美容処置設備に関するものであり、効率良く作業できるように、配置、収納できるようにする。【解決手段】本発明の設備は、処置台１と連結された収納スペース５を備え、収納スペース５のいくつかは処置器具２のためのものであり、他の収納スペースは付属物のためのものである。本発明の設備は、処置台１の頭部に配置された制御パネル４を備え、制御パネル４は、処置器具２の制御手段、および付属物の接続に用いるソケットを備えている。また、本発明の設備は、処置台１の下面に配置された接続部７を備え、接続部７は、制御手段を処置器具２の対応する入力部２１に接続し、器具ソケットを処置器具２の対応する出力部２２に接続する。【選択図】図２
2006320718.tif 000002
【特許請求の範囲】
【請求項１】
少なくとも１つの頭部および中央部を有する処置台と；
電源に接続された、刺激作用器具またはイオン化器具のような処置器具と；
電力リード線を含み、該処置器具のそれぞれに備え付ける、電極のような付属物と；
該処置器具を制御および／または調節する手段とを備え、
該処置器具が、制御信号および／または調節信号の入力部、ならびに該付属物のそれぞれに送信する出力信号を提供するための出力部を備えている美容処置設備であって、
該美容処置設備は、
該処置台と連結された複数の第１収納部であって、それぞれが該処置器具の少なくとも１つを収納する、第１収納部；
該処置台の頭部にて提供され、該付属物を収納するように設計された第２収納部；ならびに
該処置台の頭部に配置された制御パネルであって、該制御パネル上には、該制御および／または調節する手段が集められており、電力リード線との接続のためのソケットがさらに備えられている、制御パネル
を備え、
該美容処理設備はさらに、
該制御パネルの該制御および／または調節する手段を該処置器具の対応する入力部に接続し、該制御パネルの該ソケットを該処置器具の対応する出力部に接続するための、該処置台の下に配置された接続部
を備えている、美容処置設備。
【請求項２】
上記第１収納部が、箱または引出しから構成されていることを特徴とする請求項１に記載の美容処置設備。
【請求項３】
上記第１収納部が、上記処置台中央部の下面に備え付けられていることを特徴とする請求項１または２に記載の美容処置設備。
【請求項４】
上記第２収納部が、引出しまたは小さな台から構成されていることを特徴とする請求項１〜３のいずれか１項に記載の美容処置設備。
【請求項５】
上記第２収納部が、上記処置台頭部の下面に備え付けられていることを特徴とする請求項１〜４のいずれか１項に記載の美容処置設備。
【請求項６】
上記制御パネルが、さまざまな該処置器具の動作状態を表示することができる表示手段を備えており、該表示手段は、上記接続部によって該処置器具のそれぞれに接続されていることを特徴とする請求項１〜５のいずれか１項に記載の美容処置設備。
【請求項７】
上記処置台頭部に配置された表示画面を備えていることを特徴とする請求項１〜６のいずれか１項に記載の美容処置設備。
【請求項８】
上記表示画面が上記制御パネルに組み込まれていることを特徴とする請求項７に記載の美容処置設備。
【請求項９】
上記表示画面がタッチ画面から構成されていることを特徴とする請求項７または８に記載の美容処置設備。
【請求項１０】
上記表示画面が接続された集中化コンピューターシステムを備えていることを特徴とする請求項７〜９のいずれか１項に記載の美容処置設備。
【発明の詳細な説明】
【技術分野】
【０００１】
本発明は、概略的には、美容処置に用いられる設備に関するものである。より詳細には、本発明は、少なくとも１つの頭部および中央部を有する処置台と、電源に接続された刺激作用器具またはイオン化器具などの処置器具と、電力リード線を含み、該処置器具のそれぞれに備え付ける、電極のような付属物と、該処置器具を制御および／または調節する手段とを備え、該処置器具が、制御信号および／または調節信号の入力部、ならびに付属物のそれぞれに送信する出力信号を提供するための出力部を備えている美容処置設備に関するものである。
【背景技術】
【０００２】
一般的に、美容処置のための処置室は、比較的窮屈なものである。
【０００３】
従来、処置室において用いられる器具は、固定式またはローラー付きの個々の支持物に備えられている。また、上記支持物は、処置台と、上記処置室の壁との間に配置されており、上記器具へ電源を供給するために該壁と接続されている。
【発明の開示】
【発明が解決しようとする課題】
【０００４】
上記器具のそれぞれを処置室の中に配置すると、該処置室が極端に乱雑な状態でなくても、該処置室には、非常に限られた数の器具だけしか収納することができなくなる。このため、従業者の動きを制限し、ときには顧客に不便を感じさせる原因にもなる。
【０００５】
さらに、従業者は、上記器具を制御および／または調節するさまざまなボタンを操作するために、また、これらの器具に備え付けられている付属物を届かせるために、その都度、向き直らなければならない。
【０００６】
これら全ての状況は、ことごとく、従業者および顧客が処置室を使うことに対して相当な不便を感じる結果に繋がっている。
【０００７】
上記問題点に鑑みて、本発明は、これら美容処置設備の人間工学に基づくデザインを改善することを目的としている。
【課題を解決するための手段】
【０００８】
上記の目的を達成するために、上記序文に規定された包括的な記載に基づく本発明の美容処置設備は、以下の構成をさらに備えていることによって本質的に特徴付けられる。本発明の美容処置設備は、処置台と連結された複数の第１処置台収納部と、付属物を収納するように設計された第２収納部と、該処置台の頭部に配置された制御パネルとを備え、第１処置台収納部は、それぞれが処置器具の少なくとも１つを収納し、第２収納部は、該処置台の頭部にて提供され、該制御パネル上には、制御および／または調節する手段が集められており、該制御パネルは、電力リード線との接続のためのソケットをさらに備えている。本発明の美容処置設備はさらに、上記制御パネルの上記ソケットを上記処置器具の対応する出力部に接続するための、上記処置台の下に配置された接続部を備えており、該制御パネルの該制御および／または調節する手段を該処置器具の対応する入力部に接続する。
【０００９】
上記第１収納部は、箱または引出しから構成されていてもよく、例えば、上記処置台中央部の下面に備え付けられている。
【００１０】
上記第２収納部は、例えば、引出しまたは小さな台から構成されていてもよく、上記処置台頭部の下面に備え付けられていてもよい。
【００１１】
また、上記制御パネルは、さまざまな上記処置器具の動作状態を表示することができる表示手段を備えており、該表示手段は、上記接続部によって上記処置器具のそれぞれと接続されていてもよい。
【００１２】
また、本発明の処置設備は、例えば、上記処置台頭部に配置された表示画面を備えており、該表示画面が上記制御パネルに組み込まれている構成であってもよい。
【００１３】
上記表示画面は、タッチ画面から構成されており、本発明の処置設備に備えられている集中化コンピューターシステムに接続されていてもよい。
【発明を実施するための最良の形態】
【００１４】
本発明のその他の特徴点および利点は、以下の記載からより明確となるであろう。添付の図１〜図３を参照して以下に説明を行うが、これらの図面は、単に本発明の理解を容易にするためのものであり、本発明はこれらに限定されるものではない。図１は、本発明に係る設備の側面部分の立体図である。図２は、本発明に係る設備の部分展開図である。図３の（ａ）は、本発明に係る設備の背面部分の立体図であり、（ｂ）は、（ａ）の第１変形例の背面部分の立体図であり、また、（ｃ）は、（ａ）の第２変形例の背面部分の立体図である。
【００１５】
上述したように本発明は、処置台１と、複数の処置器具２と、処置器具２のそれぞれに備え付ける付属物３と、複数の処置器具２を制御および／または調節する手段４０を備える美容処置設備に関するものである。
【００１６】
処置器具２は、例えば、実際には、電気的な刺激作用装置、イオン化器具または脱毛器具であってよく、個々の本線のケーブルを介して、通常は電源である本線の電源供給部に接続されている。
【００１７】
付属物３は、さまざまな処置器具２に備え付けられており、例えば、加熱電極または加熱素子から構成されている。また、付属物３は、加熱電極および素子などと、処置器具２とを、適合するように接続するための電力リード線３１を含んでいる。
【００１８】
通常、複数の処置器具２のそれぞれには、まず、１つ以上の制御および／または調節する手段４０から送られる制御信号および／または調節信号を受取るための１つ以上の入力部２１が備えられている。また、複数の処置器具２のそれぞれには、処置器具２の１つまたは複数の付属物３に送信する出力信号を提供するための１つ以上の出力部２２が備えられている。
【００１９】
また、本発明の設備は、以下を備えている：処置台１と連結された複数の収納スペース５であって、処置器具２を収納する収納スペース５；処置台１の頭部にて提供され、付属物３を収納する複数の収納スペース６；制御パネル４；ならびに、制御パネル４およびさまざまな処置器具２を接続する接続部７。
【００２０】
収納スペース５は、それぞれが１つ以上の処置器具２を収容することができるよう設計されており、例えば、処置台１の中央部１２の下面１２０に備え付けられた箱または引出しから構成されている。
【００２１】
普通、収納スペース６は、それぞれがいくつかの付属物３を収容することができるよう設計されており、例えば、処置台１の頭部２の下面１１０に備え付けられた引出し（図３（ａ）参照のこと）または小さな台（図３（ｂ）参照のこと）から構成されている。
【００２２】
制御パネル４は、処置台１の頭部１１（例えば、寝台頭部１１の上部など）に配置されており、制御パネル４には、さまざまな処置器具２を制御および／または調節する手段４０が集められている。
【００２３】
また、制御パネル４は、電力リード線３１との接続ができるようソケット４１を備えており、また、さまざまな処置器具２の動作状態を表示することができる表示手段４２を備えていることが好ましい。
【００２４】
さまざまな接続部７は、例えば、従来公知のさまざまな性質の配線から構成されており、処置台１の下に配置されていればよく、処置台１の下面１１０、１２０に固定されることが好ましい。
【００２５】
複数の接続部７は、（１）制御パネル４の制御および／または調節する手段４０を、処置器具２の対応する入力部２１に接続するために、また、（２）制御パネル４のソケット４１を、対応する処置器具２の出力部２２に接続するために、さらに、（３）表示手段４２を、処置器具２の特定の出力部２２に接続するために用いられている。
【００２６】
本発明の設備は、全ての処置器具２の電気的接続を同時に行うことができるように、処置台１の下に１つの複合的な電気的機能を有する、本線からとったソケット（ａ  ｓｉｎｇｌｅ  ｍｕｌｔｉｐｌｅ  ｅｌｅｃｔｒｉｃａｌ  ｍａｉｎｓ  ｓｏｃｋｅｔ）を備えており、該ソケットは、１つの電力ケーブルを用いて本線からとった電源に接続されていてもよい。
【００２７】
最後に、図３（ｃ）に示すように、本発明の美容処置設備は、例えば、処置台１の頭部１１に配置された表示画面４３をさらに備えていてもよく、表示画面４３は制御パネル４に組み込まれていてもよい。
【００２８】
表示画面４３は、例えば、ＬＣＤ（ｌｉｑｕｉｄ  ｃｒｙｓｔａｌ  ｄｉｓｐｌａｙ）式のフラット表示面から構成されていてもよく、各辺が約１０ｃｍ程度の四角形であることが好ましい。
【００２９】
処置台１の後部に座っている従業者は、こうして表示画面４３と向かい合う状態になるので、表示画面４３上に表示された情報を容易に受取ることができる。
【００３０】
一例として、表示画面４３は、処置台１に座っている顧客の情報を供給することができる。顧客の情報としては、例えば、名前、住所、消費性向および生活習慣などが挙げられ、また、同じ美容院において、施された処置履歴、購入済の製品履歴、肌の状態の分析、体の処置に関する分析および／または医学的な徴候（アレルギーなど）の対策記録が含まれていてもよい。
【００３１】
また、表示画面４３は、従業者によって施された処置の順序をビデオにて表示することができる。処置の順序を表示することによって、この美容院において施されるさまざまな処置が、より信頼度の高い、より調和の取れたものとなる。また、処置の順序を表示することによって、各従業者が従う訓練課程を効果的に完成させることができる。上記の目的のために、本発明の美容処置設備を用いて実施された各処置の様子の全てが、画面上にリアルタイムに表示され、従業者に提供されてもよい。その後、従業者は、この映像情報にできる限り近づくよう訓練を行うだけでよい。
【００３２】
また、表示画面４３は、コンピューターケーブルまたはＷｉ−Ｆｉ（登録商標）システムを介して、本発明に係る設備に備えられた集中化コンピューターと接続されており、該集中化コンピューターを用いて制御された情報を従業者に提供するために用いられてもよい。ここで、表示画面４３を用いて提供される情報は、例えば、従業者、顧客または施される処置の今後の予定に関するものであり、あるいは緊急の伝言であってもよい。
【００３３】
また、表示画面４３は、タッチ画面から構成されるよう配置することも可能である。この場合、上記タッチ画面は、コンピューター端末として用いられてもよく、その結果、処置室と、集中化コンピューターシステムとの間での情報のやりとりを可能にする。
【００３４】
一例として、従業者は、処置室にて施された各処置、または処置室にて顧客によって選択された各製品と、美容室のフロントに転送された対応情報とが一致するか否かを、表示画面４３上において確認してもよい。これにより、顧客に施された処置および顧客によって購入された製品に応じた請求書を自動的に準備することができる。
【図面の簡単な説明】
【００３５】
【図１】図１は、本発明に係る設備の側面部分の立体図である。
【図２】図２は、本発明に係る設備の部分展開図である。
【図３】（ａ）は、本発明に係る設備の背面部分の立体図である。（ｂ）は、（ａ）の第１変形例の背面部分の立体図である。（ｃ）は、（ａ）の第２変形例の背面部分の立体図である。
【図１】
2006320718.tif 000003
【図２】
2006320718.tif 000004
【図３】
2006320718.tif 000005
【外国語明細書】
2006320718000001.pdf